(57)【特許請求の範囲】
【請求項１】
ラッチボルト（22）により閉位置に固定されたドア（20）を、少なくとも開くために用いられる、ドア（20）の取っ手（23,24,25）に取り付け可能な取っ手アタッチメント（1,1A,1B,1C,1D,1E）において、
取っ手（23,24,25）に対して不動に固定可能な作動部（4）と、
前記作動部（4）から鉛直上方に、又は、鉛直上方に対しドア（20）の内方に４５°以下の角度（α）をなす方向に所定の距離だけ離間して配置され、操作者の肘部が係合する部分を具備する操作部（2）と、
前記作動部（4）と前記操作部（2）とを連結する力伝達部（3）と、を有し、
操作者の肘部により前記操作部（2）が操作されることによって、前記力伝達部（3）及び前記作動部（4）を介して取っ手（23,24,25）が作動してラッチボルト（22）が解除されることを特徴とする取っ手アタッチメント。
【請求項２】
前記操作部（2）における操作者の肘部が係合する部分が、前記操作部（2）をドア（20）から離す向きに水平方向に引くときに肘部が係合する部分（2d，2e）を少なくとも具備することを特徴とする請求項１に記載の取っ手アタッチメント。
【請求項３】
前記操作部（2）における操作者の肘部が係合する部分が、前記操作部（2）を回転させるときに肘部が係合する部分（2b,2c,2d）を少なくとも具備することを特徴とする請求項１又は２に記載の取っ手アタッチメント。
【請求項４】
前記操作部（2）における操作者の肘部が係合する部分が鞍形部分を有し、前記鞍形部分は、ドア（20）の面に平行な面内にて凸曲線を描く稜線（2a）と、前記稜線（2a）からドア（20）に垂直な両方向に向かって次第に直径が拡大して形成される凹面（2b）と、前記凹面（2b）の両側の周縁部によりそれぞれ形成される壁部（2d）とを具備することを特徴とする請求項２又は３に記載の取っ手アタッチメント。
【請求項５】
前記操作部（2）における操作者の肘部が係合する部分が、ドア（20）の面に平行な面内に位置する円形端面と、前記円形端面の周縁からドア（20）に垂直な方向に向かって次第に直径が拡大して形成される凹面（2b）と、前記凹面（2b）の周縁部により形成される壁部（2d）とを具備することを特徴とする請求項２又は３に記載の取っ手アタッチメント。
【請求項６】
前記操作部（2）における操作者の肘部が係合する部分が、ドア（20）に垂直な方向の軸をもつ略円筒形の凸面（2c）と、凸面（2c）におけるドア（20）と反対側の端部から起立する壁部（2d）とを具備することを特徴とする請求項２又は３に記載の取っ手アタッチメント。
【請求項７】
取っ手（23,24,25）が、レバーハンドル、プッシュプルハンドル、鉛直方向押しハンドル、又はノブであり、前記作動部（4）が取っ手（23,24,25）の形状に適合するように構成されることを特徴とする請求項１〜６のいずれかに記載の取っ手アタッチメント。
【請求項８】
鉛直方向における前記作動部（4）と前記操作部（2）の距離が２０〜４０ｃｍであることを特徴とする請求項１〜７のいずれかに記載の取っ手アタッチメント。
【発明の詳細な説明】
【技術分野】
【０００１】
本発明は、回転して開閉するドアの取っ手に取り付けるための取っ手アタッチメント及びドア取っ手に関する。
【背景技術】
【０００２】
通常、ドアの取っ手は、手で、特に指で掴んで開閉操作する。回転して開閉する一般的なドアの取っ手は、ドア回転軸の反対側のドア側面から数ｃｍの距離及び床から８５〜１００ｃｍの高さ位置に取り付けられ、ドア側面における取っ手と同じ高さ位置にラッチボルトが設けられている。ラッチボルトは、ドアを閉位置に固定するためのものであり、ドアを開くときは、取っ手を操作してラッチボルトをドア内に後退させることによってラッチボルトが解除され、ドアを開くことができる。
【０００３】
ウィルスや細菌などの病原体の伝染経路の１つに接触感染がある。ドアの取っ手は、不特定多数の人との接触機会となり得る。ドアの取っ手又は触れた手を頻繁に消毒することは煩雑であり、ドアの取っ手に手指が触れないことが好ましい。
【０００４】
特許文献１〜３は、手指を使わずに、腕における手首から上方の部分を用いてドアの取っ手を開閉するために、特別な形状の取っ手又は既存の取っ手に取り付けるアタッチメントを提示している。
【先行技術文献】
【特許文献】
【０００５】
【特許文献１】特表２００８−５０６８７２号公報
【特許文献２】実公平３−３９５７５号公報
【特許文献３】特開昭５３−７０５３４号公報
【発明の概要】
【発明が解決しようとする課題】
【０００６】
しかしながら、手指を使わずにドアを開閉するための従来の取っ手又は取っ手アタッチメントは、いずれも通常の取っ手の高さ位置に設けられている。したがって、大人の平均的身長をもった操作者が肘部を使ってそれらを操作しようとすると、腰をかがめる必要があるため操作し難いという問題がある。
【０００７】
本発明の目的は、手指を使わずにドアの取っ手を操作するための取っ手アタッチメント又はドア取っ手において、通常の大人が真っ直ぐに立ったままの姿勢で操作可能とすることを目的とする。
【課題を解決するための手段】
【０００８】
上述した課題を解決するために、本発明は以下の構成を有する。なお、括弧内の数字は、後述する図面中の符号であり、参考のために付するものである。
(1)  本発明の態様は、ラッチボルト（22）により閉位置に固定されたドア（20）を、少なくとも開くために用いられる、ドア（20）の取っ手（23,24,25）に取り付け可能な取っ手アタッチメント（1,1A,1B,1C,1D,1E）において、
取っ手（23,24,25）に対して不動に固定可能な作動部（4）と、
前記作動部（4）から鉛直上方に、又は、鉛直上方に対しドア（20）の内方に４５°以下の角度（α）をなす方向に所定の距離だけ離間して配置され、操作者の肘部が係合する部分を具備する操作部（2）と、
前記作動部（4）と前記操作部（2）とを連結する力伝達部（3）と、を有し、
操作者の肘部により前記操作部（2）が操作されることによって、前記力伝達部（3）及び前記作動部（4）を介して取っ手（23,24,25）が作動してラッチボルト（22）が解除されることを特徴とする。
(2)  上記態様において、前記操作部（2）における操作者の肘部が係合する部分が、前記操作部（2）をドア（20）から離す向きに水平方向に引くときに肘部が係合する部分（2d）を少なくとも具備することが、好適である。
(3)  上記態様において、前記操作部（2）における操作者の肘部が係合する部分が、前記操作部（2）を回転させるときに肘部が係合する部分（2b,2c,2e）を少なくとも具備することが、好適である。
(4)  上記態様において、前記操作部（2）における操作者の肘部が係合する部分が鞍形部分を有し、前記鞍形部分は、ドア（20）の面に平行な面内にて凸曲線を描く稜線（2a）と、前記稜線（2a）からドア（20）に垂直な両方向に向かって次第に直径が拡大して形成される凹面（2b）と、前記凹面（2b）の両側の周縁部によりそれぞれ形成される壁部（2d）とを具備することが、好適である。
(5)  上記態様において、前記操作部（2）における操作者の肘部が係合する部分が、ドア（20）の面に平行な面内に位置する円形端面と、前記円形端面の周縁からドア（20）に垂直な方向に向かって次第に直径が拡大して形成される凹面（2b）と、前記凹面（2b）の周縁部により形成される壁部（2d）とを具備することが、好適である。
(6)  上記態様において、前記操作部（2）における操作者の肘部が係合する部分が、ドア（20）に垂直な方向の軸をもつ略円筒形の凸面（2c）と、凸面（2c）におけるドア（20）と反対側の端部から起立する壁部（2d）とを具備することが、好適である。
(7)  上記態様において、取っ手がレバーハンドル、プッシュプルハンドル、鉛直方向押しハンドル、又はノブであり、前記作動部（4）が取っ手の形状に適合するように構成されることが、好適である。
(8)  上記態様において、鉛直方向における前記作動部（4）と前記操作部（2）の距離が２０〜４０ｃｍであることが、好適である。
【発明の効果】
【０００９】
本発明によれば、手指を使わずにドアの取っ手を操作するためのアタッチメント又は取っ手自体において、通常の大人が真っ直ぐに立ったままの姿勢で操作可能となる。この結果、手指が汚染されることなくドアを開閉できると共に、腰をかがめる必要もなく、円滑な操作が可能である。特に、病院、企業等において、機材や資料などを所持しているとき、又は、濡れ手、手術前後などの汚染注意時等に、真っ直ぐ立ったままの姿勢でドアを開閉操作可能であり、特にドアを開くために有用である。
【図面の簡単な説明】
【００１０】
【図１】図１（ａ）は、本発明の第１の実施形態による取っ手アタッチメントの一例をドアの一部と共に概略的に示した外観斜視図であり、（ｂ）は、取っ手アタッチメントを取り付けていない状態の（ａ）のレバーハンドルの斜視図である。
【図２】図２（ａ）は、図１（ａ）に示した取っ手アタッチメントの斜視図、（ｂ）は側面図、（ｃ）は平面図を概略的に示している。
【図３】図３は、図１及び図２に示した取っ手アタッチメントの操作時の状態の一例を示している。
【図４】図４は、本発明の第２の実施形態による取っ手アタッチメントの一例をドアの一部と共に概略的に示した外観斜視図である。
【図５】図５（ａ）は、本発明の第３の実施形態による取っ手アタッチメント１Ｂの一例の概略的な部分斜視図、（ｂ）（ｃ）は、（ａ）の変形形態の概略的な部分斜視図である。
【図６】図６（ａ）は、本発明の第４の実施形態による取っ手アタッチメントの一例をドアの一部と共に概略的に示した外観斜視図である。（ｂ）は、取っ手アタッチメントを取り付けていない状態の（ａ）のプッシュプルハンドルの斜視図である。（ｃ）は、ドアの裏側に取り付けられたもう一つの取っ手アタッチメントを示している。
【図７】図７（ａ）は、本発明の第５の実施形態による取っ手アタッチメントの一例をドアの一部と共に概略的に示した外観斜視図である。（ｂ）は、取っ手アタッチメントを取り付けていない状態の（ａ）のノブの斜視図である。
【図８】図８は、本発明の第６の実施形態による取っ手アタッチメントの一例をドアの一部と共に概略的に示した外観斜視図である。
【図９】図９（ａ）は、本発明の第７の実施形態による取っ手アタッチメント１Ｆの一例を概略的に示した部分斜視図であり、（ｂ）は（ａ）のｘ−ｘ断面図である。（ｃ）は変形形態である。
【図１０】図１０（ａ）は、ドアに新設の取っ手を取り付けた実施形態を概略的に示す斜視図であり、（ｂ）は側面図である。
【図１１】図１１（ａ）は、ドアに新設の取っ手を取り付けた別の実施形態を概略的に示す斜視図であり、（ｂ）は側面図である。
【発明を実施するための形態】
【００１１】
以下、実施例を示した図面を参照して本発明の実施形態を説明する。各実施形態において同じ又は類似する構成要素には同じ符号を付している。取っ手には、レバーハンドル、プッシュプルハンドル、ノブなど、様々な種類がある。ここでは、既存の取っ手に取り付けて用いる器具を「取っ手アタッチメント」と称している。
【００１２】
図１（ａ）は、本発明の第１の実施形態による取っ手アタッチメント１の一例をドア２０の一部と共に概略的に示した外観斜視図である。図１（ｂ）の丸囲みは、取っ手アタッチメント１を取り付けていない状態の（ａ）のレバーハンドル２３の斜視図である。
【００１３】
ドア２０は、回転軸（図示せず）の周りで回転することにより開閉する。回転軸とは反対側に位置するドア側面２１からドア２０の内方に向かって数ｃｍ程度の位置に取っ手が取り付けられている。本例では、取っ手がレバーハンドル２３である。さらに、ドア側面２１には、レバーハンドル２３と同じ高さ位置にラッチボルト２２が設けられている。ラッチボルト２２は、先端の略三角柱部分が常に突出する方向に弾性的に付勢されている。ドア２０の閉位置にてドア側面２１に対向する戸枠（図示せず）には、突出したラッチボルト２２が入り込む凹部が形成されている。ドア２０の閉位置では、ラッチボルト２２が戸枠の凹部に入り込むことでドア２０が固定され、ドア２０を単に押し引きするだけでは開かない。ハンドルレバー２３を回転することでラッチボルト２２をドア内に後退させるとラッチボルト２２が解除され、ドア２０を開くことができる。ドア２０は、ラッチボルト２２の平坦面２２ａの側に開く。したがって、図１の例では、ラッチボルト２２を解除した状態でドア２０を手前に引くことでドア２０が開く。
【００１４】
本発明による取っ手アタッチメント１は、既存のハンドルレバー２３に取り付けて用いられる。なお、取り付けられた取っ手アタッチメント１とドア２０の面との間には、取り付けアタッチメント１の動作に支障がない程度の間隔が設けられている。取っ手アタッチメント１は、ハンドルレバー２３に対して不動に固定可能な作動部４を有する。図示の作動部４は、ハンドルレバー２３の外面を部分的に覆う形状であるが、これは模式的に示した形状にすぎない。作動部４の具体的形状は、ハンドルレバー２３に対して不動に固定可能であればどのような形状でもよい。ハンドルレバー２３の形状自体も多様であるので、作動部４は、ハンドルレバー２３の形状に関わらず固定可能な構造が望ましい。作動部４は、一体部品である必要はなく、例えば、複数の分割された部品によりハンドルレバー２３を挟持する構造でもよい。図示しないが、ボルト等の固定具を用いて固定する構造でもよい。
【００１５】
取っ手アタッチメント１はさらに、作動部４から鉛直上方に所定の距離だけ離間して配置された操作部２を有する。操作部２は、ドアを開こうとする操作者の肘部が係合する部分を具備する。操作部２が作動部４から所定の距離だけ鉛直上方に離間することによって、操作者は、腰をかがめることなく、肘部を使って操作部２を操作することが可能となる。
【００１６】
取っ手アタッチメント１はさらに、作動部４と操作部２を連結する力伝達部３を有する。図示の例では、力伝達部３は１つの長尺体、ここでは長尺の板部材から構成されている。力伝達部３の具体的形状は、特に限定されない。力伝達部３の基端は作動部４の一部に固定され、先端は操作部２の一部に固定されている。ここでの「固定」は、２つの部分を一体成形する場合、及び、２つの部材を留め具などを用いて連結する場合の双方の意味を含む。力伝達部３における作動部４への連結箇所は、ハンドルレバー２３のレバー先端に近い位置であることが好ましい。これは、ドア側面２１に対向する戸枠の隣に壁などが存在する場合、操作部２を肘部で操作する際に、手指が壁などに当たらないようにできるだけ距離を空けるためである。
【００１７】
図２（ａ）は、図１（ａ）に示した取っ手アタッチメント１の斜視図、（ｂ）は側面図、（ｃ）は平面図を概略的に示している。
【００１８】
操作部２は、操作者の肘部が係合する部分を有し、当該部分や肘部が係合しやすい形状に構成されている。図示の操作部２の形状は一例である。ここでの「肘部」は、狭い意味の「肘」だけでなく、肘とその周囲、すなわち前腕の上端領域又は上腕の下端領域であってもよく、個々の操作者にとって使いやすい部位を用いればよい。ラッチボルト２２を解除するためにはハンドルレバー２３を回転する必要があるので、操作部２も回転させる必要がある。したがって、操作部２は、これを回転させるときに肘部が係合する部分を少なくとも有している。操作部２の回転中心は、ハンドルレバー２３の回転中心と一致する。さらに、ドアを開くときは、ハンドルレバー２３を回転させた状態（ラッチボルト２２を解除した状態）に維持したままドアを引く(ドアの反対側からの場合は押す)ことが必要である。したがって、操作部２は、これをドア２０から離す向き（ドアの反対側からの場合は近づける向き）に水平方向に引く（又は押す）ときに肘部が係合する部分を少なくとも具備する。
【００１９】
図示の例では、操作部２が、力伝達部３の長い板部材の上端に接続された鞍形部分を有する。この鞍形部分は、破線で示す稜線２ａを具備し、稜線２ａは、取付け状態においてドア２０の面に平行な面内において凸曲線を描いている。凸曲線は、図示の例では、円周を形成しているが、別の例として円弧でもよく、又は、楕円若しくは楕円弧でもよく、又は、任意の凸曲線でもよい。この稜線２ａと直交する面内では稜線２ａを谷とする凹輪郭線を有することによって、凹面２ｂが形成されている。凹面２ｂは、稜線２ａからドア２０に垂直な両方向に向かって次第に直径が拡大して形成され、凹面２ｂの両側の周縁部はそれぞれ壁部２ｄを形成している。したがって、操作部２は、トランペットの吹出口を２つ背中合わせにしたような形状となっている。
【００２０】
図示の例では、操作部２は、稜線２ａを含む面について対称な形状を有する。別の例として、操作部２は、ドア２０に近い側の壁部２ｄの直径を、ドア２０から遠い側の壁部２ｄの直径よりも小さくして非対称な形状としてもよい。
【００２１】
図２（ｂ）に概略的に示す一対の壁部２ｄの間の距離Ｌは、想定される平均的な操作者の肘部が余裕をもって入る程度の長さとする。例えば約１０ｃｍである。鞍形部分の深さについても同様に、肘部が適度に係合する程度とする。例えば約４〜５ｃｍである。但し、これらの長さに限定するものではない。このように形成された操作部２の窪みは、操作者の肘部が入り易い形状、好ましくは少なくとも肘頭が突き当たり易い形状であり、かつ肘部が離れ易い形状でもある。なお、稜線２ａ及び凹面２ｂは、ドア２０の面に垂直な方向の軸の全周に亘って存在する必要はなく、操作部２を回転操作するときに肘部が当たる可能性のある角度範囲（図２（ａ）の角度βを参照）に形成すれば足りる。
【００２２】
図２（ｂ）に概略的に示す作動部４と操作部２との間の鉛直方向の距離Ｈは、２０〜４０ｃｍとすることが好ましい（以下の実施形態でも同様）。ここでの距離Ｈは、取っ手の高さ位置から、操作部２の鉛直方向長さの中点位置までの長さとする（以下の実施形態でも同様）。通常の取っ手の高さ位置は、床面から８５〜１００ｃｍ程度であるので、距離Ｈの分だけ操作位置が高くなる。それにより、操作者は真っ直ぐに立ったままで操作部２を操作することができる。但し、操作者の身長にはばらつきがあるので、距離Ｈの設定は厳密である必要はない。
【００２３】
力伝達部３は、図示の例では、操作部２の底部におけるドア２０寄りの位置に連結されている。しかしながら、力伝達部３の形状及びその連結位置は、ハンドルレバーの形状や固定部４の構造に応じて適宜設計することができる。
【００２４】
図３は、図１及び図２に示した取っ手アタッチメント１の操作時の状態の一例を示している。好ましくは操作者の肘部３０を操作部２の窪みに入れて、矢印Ｉに示すように回転させる。あるいは、操作者３０の肘部３０を窪みに入れずとも、操作者の肘部３０（特に肘頭）が操作部２のいずれかの箇所（例えば図２の壁部２ｄの外周縁）に接触していれば、摩擦によって回転操作は可能である（他の実施形態においても同じ）。肘部３０を窪みに入れるときは、図２に示した操作部２の凹面２ｂに肘部３０が係合する。
【００２５】
操作者により加えられる力は、力伝達部３及び作動部４を介してハンドルレバー２３に伝わり、ハンドルレバー２３が矢印IIに示すように回転する。それにより、ラッチボルト２２が後退し、解除される。その時点では、未だドア２０は閉じている。その後、ハンドルレバー２３を回転した状態に維持したまま矢印IIIに示すように操作部２をドア２０から離す向きに水平方向に引くと、ドア２０が矢印IVに示すように開く。このとき、肘部は、操作部２の手前側の壁部２ｄに係合する。なお、肘部３０が窪みに入っていなくとも、摩擦により操作部２を水平に引くことは可能である（他の実施形態においても同じ）。
【００２６】
操作者は、ドア２０を十分に開いた後、操作部２から肘部３０を離し、ドア２０の向こう側に通過する。操作部２の凹面２ｂは、肘部３０が自然に離れ易い形状となっている。したがって、操作部２への接触、操作、及び離脱を一連の流れとして行うことができる。
【００２７】
その後、ドア２０が自動的に閉じる場合は、操作者は何もする必要はない。ドア２０が自動的に閉じない場合は、ドア２０の裏側のもう一つのハンドルレバーにも同様に取り付けられている取っ手アタッチメント１を肘部で操作すればよい。例えば、ドア２０を通過した後、振り返って裏側の取っ手アタッチメント１の操作部２に肘部３０を係合させ、ドア２０が閉じる方向に引けばよい。ドア２０が閉じるとき、ラッチボルト２２は自動的に後退するので、ハンドルレバー２３を回転する必要はない。
【００２８】
なお、図示した面の裏側からドア２０を開ける場合は、ドア２０を押して開けることになる。その場合、ドア２０の裏側に取り付けられているもう１つの取っ手アタッチメント１を、同様に肘部を使って回転させてラッチボルト２２を後退させて解除した後、そのまま操作部２を水平方向に押すことによりドア２０を開けることができる。
【００２９】
図４は、本発明の第２の実施形態による取っ手アタッチメント１Ａの一例をドア２０の一部と共に概略的に示した外観斜視図である。
【００３０】
取っ手アタッチメント１Ａは、第１の実施形態と同様にハンドルレバー２３に取り付けられ、同じ形状の操作部２、力伝達部３、及び作動部４を有する。第１の実施形態と異なる点は、操作部２が、作動部４の鉛直上方に位置していない点である。第２の実施形態では、操作部２は、ドア２０の面に平行な面内において、作動部４から鉛直上方に対しドア２０の内方に所定の角度αをなす方向に所定の距離だけ離間して配置されている。したがって、この場合、力伝達部３は、鉛直方向に対して傾斜して設けられる。角度αは、４５°以下であることが好ましい。この実施形態は、ドア側面２１に対向する戸枠の隣に壁などが存在する場合に有効である。なぜなら、そのような壁などから操作部２までの距離がより遠くなるので、肘部で操作部２を操作するときに手指などが壁などに当たり難くなるからである。この第２の実施形態の特徴は、以下の他の実施形態においても適用可能である。
【００３１】
第２の実施形態においても、作動部４と操作部２との間の鉛直方向における距離Ｈは、２０〜４０ｃｍとすることが好ましい。
【００３２】
図５（ａ）は、本発明の第３の実施形態による取っ手アタッチメント１Ｂの一例の概略的な部分斜視図、（ｂ）（ｃ）は、（ａ）の変形形態の概略的な部分斜視図である。
【００３３】
図示しない作動部は、取っ手に固定可能な適宜の形状とされる。力伝達部３は、本例では１つの長い板部材である。力伝達部３の上端に操作部２が連結されている。
【００３４】
本例では、操作部２における操作者の肘部が係合する部分が、略円筒面の凸面２ｃと、その両端から起立する壁部２ｄとを有し、これらにより窪みが形成されている。本実施形態は、比較的単純な形状である。略円筒面の凸面２ｃは、操作部２の全周に亘って存在する必要はなく、操作部２を回転させるときに肘部が当たる可能性のある角度範囲に形成すれば足りる。図示の例では、凸面２ｃは、円筒の上半部のみを有する。操作部２をドア２０から離す向きに水平方向に引くときは、操作者の肘部が操作部２の手前側の壁部２ｄに係合する。壁部２ｄも、肘部が係合する範囲に設けられていれば足りる。
【００３５】
図５（ｂ）、（ｃ）の変形形態の取り付けアタッチメント１Ｂａ、１Ｂｂでは、操作部２の略円筒状の凸面２ｃが、約９０°の範囲で形成され、その両側の壁部２ｄが上方に向かって幅広となるように外側に傾斜している。また、壁部２ｄの外周縁には、丸みを具備して外側に突出する返し部２ｄ１が設けられている。この返し部２ｄ１があることで、操作者の肘部が係合し易くなる。なお、図５（ｂ）と（ｃ）では、力伝達部３の幅が異なる。
【００３６】
図６（ａ）は、本発明の第４の実施形態による取っ手アタッチメント１Ｃの一例をドア２０の一部と共に概略的に示した外観斜視図である。（ｂ）は、取っ手アタッチメントを取り付けていない状態の（ａ）のプッシュプルハンドルの斜視図である。（ｃ）は、ドア２０の裏側に取り付けられたもう一つの取っ手アタッチメント１Ｃを示している。
【００３７】
第４の実施形態では、取っ手アタッチメント１Ｃがプッシュプルハンドル２４に取り付けられている。プッシュプルハンドル２４は、図６（ｂ）では、一例として正方形の板形状であるが、その他にも縦長のロッド状など、多様な形態がある。プッシュプルハンドルは、それを押すか又は引くとラッチボルト２２が後退して解除され、そのままプッシュハンドルをさらに押すか又は引くとドア２０を開くことができる。
【００３８】
取っ手アタッチメント１Ｃは、操作部２及び力伝達部３は、第１の実施形態と同様の形状であるが、作動部４が、プッシュプルハンドル２４の形状に適合するように構成されている。作動部４の具体的な構成は、多様に実施できる。
【００３９】
図６（ａ）に示すように、操作部２の手前の壁部２ｄに肘部（図示せず）を係合して矢印Ｉのように引くと、力伝達部３及び作動部４を介して力が伝達されてプッシュプルハンドル２４も矢印IIのように引かれる。その結果、ラッチボルト２２が後退し、そのまま水平方向に操作部２の壁部２ｄを引くことでドア２０を開くことができる。
【００４０】
図６（ｃ）に示すように、ドア２０の裏側においては、操作部２に肘部（図示せず）を係合して矢印IIIのように押すと、力伝達部３及び作動部４を介して力が伝達されてプッシュプルハンドル２４も矢印IVのように押される。このとき、操作部２に肘部を入れてドア２０に近い側の壁部２ｄを押してもよいが、それに替えて手前側の壁部２ｄの外面を押すこともできる。その結果、ラッチボルト２２が後退して解除され、そのまま水平方向にドア２０の方に操作部２を押すことでドア２０を開くことができる。
【００４１】
図７（ａ）は、本発明の第５の実施形態による取っ手アタッチメント１Ｄの一例をドア２０の一部と共に概略的に示した外観斜視図である。（ｂ）は、取っ手アタッチメントを取り付けていない状態の（ａ）のノブの斜視図である。
【００４２】
第５の実施形態では、取っ手アタッチメント１Ｄがノブ２５に取り付けられている。ノブ２５は、古くから用いられている汎用的な取っ手である。取っ手アタッチメント１Ｄは、作動部４が、ノブ２５の形状に適合するように構成されている。作動部４の具体的な構成は、多様に実施できる。操作部２は、作動部４の鉛直上方に対し所定の角度をなす方向に位置している。力伝達部３を形成する長尺体は、作動部４と操作部２を連結する１本の長い棒状体から構成されている。操作部２は、ここでは球体を有する。別の例として、球体を半球としてもよい。このような操作部２の形状も、肘部を係合して摩擦により回転操作を行うことができる。また、操作部２を手前に引くときは、力伝達部３との連結部に形成される窪み２ｅを利用することができる。
【００４３】
図８は、本発明の第６の実施形態による取っ手アタッチメント１Ｅの一例をドア２０の一部と共に概略的に示した外観斜視図である。
【００４４】
第６の実施形態では、取っ手アタッチメント１Ｅがハンドルレバー２３に取り付けられている。作動部４は、ハンドルレバー２３の形状に適合するように構成されている。操作部２は、ここでは第１の実施形態と同様である。操作部２は、作動部４のほぼ鉛直上方に位置している。第６の実施形態では、力伝達部３がトラス状に形成されている。すなわち、作動部４と操作部２が、ここでは板部材である一対の長尺体で連結され、それらの長尺体が作動部４を底辺とする三角形の２辺を形成するように配置されている。このようなトラス状の構成とすることによって、構造的な強度が向上し、力を確実に伝達することができる。
【００４５】
図９（ａ）は、本発明の第７の実施形態による取っ手アタッチメント１Ｆの一例を概略的に示した部分斜視図であり、（ｂ）は（ａ）のｘ−ｘ断面図である。（ｃ）は変形形態である。作動部は図示を省略している。力伝達部３は、一例として、１つの板部材で形成されているが、多様に構成することができる。
【００４６】
上述した各実施形態（第５の実施形態を除く）では、操作部２が、肘部を入れる凹面２ｂ又は凸面２ｃと、その両側の一対の壁部２ｄを有する。各実施形態で説明したように、操作部２を手前に引く場合は、肘部を手前側の壁部２ｄに係合させて引くことができる。また、操作部２を向こう側に押す場合は、肘部を、ドアに近い側又は手前側のいずれかの壁部２ｄに係合させて押すことができる。
【００４７】
このことから、操作部２を引いたり押したりするためには、少なくとも手前側（ドアから遠い側）の壁部２ｄを有していればよいことになる。第７の実施形態では、操作部２が、手前側の壁部２ｄのみを有する。すなわち、図９（ａ）に示す操作部２は、図２に示したトランペットの吹出口２を２つ背中合わせにした形状を縦に半割した形状といえる。ドア２０の面に平行な面内に位置する円形端面の周縁からドア２０に垂直な方向に向かって次第に直径が拡大して形成される凹面２ｂと、凹面２ｂの周縁部により形成される壁部２ｄとを有する。
【００４８】
好ましくは、壁部２ｄの外周縁に、丸みを具備して内側に突出する返し部２ｄ１が設けられている。この返し部２ｄ１があることで、操作者の肘部が係合し易くなる。
【００４９】
なお、図９（ｃ）の変形形態の取付アタッチメント１Ｆａに示すように、凹面２ｂに替えて、略円筒形の凸面２ｃとすることもできる。その場合、ドア２０に垂直な方向の軸をもつ略円筒形の凸面２ｃと、凸面２ｃにおけるドア２０とは反対側の端部から起立する壁部２ｄとを有する。図示の例では、略円筒形の凸面２ｃは、軸周りの全周に亘って設けられているが、それに替えて所定の角度範囲に設けられてもよい。
【００５０】
以上の図１〜図９を参照して説明した各実施形態の取っ手のアタッチメントは、既存の多様なドア取っ手に取り付けることができる。また、各実施形態の特徴的構成を互いに組み合わせた形態も本発明の範囲に含まれる。
【００５１】
図示しないが、その他のドア取っ手としては、ラッチボルトの解除ボタンを有し、そのボタンを鉛直方向に押すことで、ラッチボルトを解除できるものがある。そのような鉛直方向押しハンドルに取り付ける取っ手アタッチメントは、肘部を使って鉛直方向に押すことができる操作部を有する。
【００５２】
図１０及び図１１を参照して、本発明の別の態様を示す。図１０（ａ）は、ドア２０に新設の取っ手を取り付けた実施形態を概略的に示す斜視図であり、（ｂ）は側面図である。
【００５３】
図１０に示す新設の取っ手は、ハンドルレバー２３Ａであり、基本的なハンドルレバーに操作部２が付加結合された形状を有する。操作部２の形状は、例えば上述した第１の実施形態の操作部２の上半分とほぼ同様であり、操作者の肘部が係合するのに適した形状を有する。重要な点は、ハンドルレバー２３Ａの高さ位置である。ハンドルレバー２３Ａは、床から１２０〜１４０ｃｍの高さ位置でドア２０に取り付けられている。一般的なハンドルレバー２３の高さ位置（８５〜１００ｃｍ）の例を点線で示している。鉛直方向におけるハンドルレバー２３Ａの高さ位置と、一般的な取っ手の高さ位置との距離Ｈは、上述した取っ手のアタッチメントの作動部と操作部との鉛直方向の距離に相当し、２０〜４０ｃｍが好ましい。
【００５４】
図１１（ａ）は、ドア２０に新設の取っ手を取り付けた別の実施形態を概略的に示す斜視図であり、（ｂ）は側面図である。図１１に示す新設の取っ手は、プッシュプルレバー２４Ａであり、基本的なプッシュプルレバーに操作部２が付加結合された形状を有する。操作部２の形状は、一例として、略円筒内面の一部に相当する凹面と、その両側の壁部を有する。プッシュプルレバー２４Ａの高さ位置については、図１０の実施形態と同様である。
【００５５】
新設の取っ手の場合は、取っ手の高さ位置を、操作者が真っ直ぐに立ったままで、肘部で操作できる位置にすることが肝要である。操作部２の形状は、図１０、図１１に示した形状以外にも多様な形態とすることができる。なお、図１０、図１１に示した操作部２の形状は、上述した図１〜図９に示した各実施形態の操作部２としても適用することができる。
【００５６】
以上、本発明の幾つかの実施形態を示す図面を参照して本発明を説明したが、各実施形態の特徴的構成を組み合わせた実施形態も本発明に含まれる。また、本発明の主旨に沿う限りにおいてさらに多様な変形形態が可能である。
【符号の説明】
【００５７】
１、１Ａ、１Ｂ、１Ｃ、１Ｄ、１Ｅ、１Ｆ  取っ手アタッチメント
２  操作部
３  力伝達部
４  作動部
２０  ドア
２１  ドア側面
２２  ラッチボルト
２３  レバーハンドル
２４  プッシュプルハンドル
２５  ノブ
３０  肘部
【要約】
【課題】手指を使わずにドアの取っ手を操作するためのアタッチメント又は取っ手自体において、通常の大人が真っ直ぐに立ったままの姿勢で操作可能とする。
【解決手段】ラッチボルト（22）により閉位置に固定されたドア（20）を開くために用いられ、ドア（20）の取っ手（23,24,25）に取り付け可能な取っ手アタッチメント（1,1A,1B,1C,1D,1E）において、取っ手（23,24,25）に対して不動に固定可能な作動部（4）と、前記作動部（4）から鉛直上方に、又は、鉛直上方に対しドア（20）の内方に４５°以下の角度（α）をなす方向に所定の距離だけ離間して配置され、操作者の肘部が係合する部分を具備する操作部（2）と、前記作動部（4）と前記操作部（2）とを連結する力伝達部（3）と、を有する。
【選択図】図３【図１】
0006792096.tif 000002
【図２】
0006792096.tif 000003
【図３】
0006792096.tif 000004
【図４】
0006792096.tif 000005
【図５】
0006792096.tif 000006
【図６】
0006792096.tif 000007
【図７】
0006792096.tif 000008
【図８】
0006792096.tif 000009
【図９】
0006792096.tif 000010
【図１０】
0006792096.tif 000011
【図１１】
0006792096.tif 000012